(57)【要約】【課題】磁気テープライブラリ及び仮想テープライブラリを用いた情報記憶システムにおいて、磁気テープの効率的な管理運用及び柔軟なシステム構築を実現する。【解決手段】情報記憶システムとは独立した管理用ＰＣにおいて仮想テープラベルと磁気テープのバーコード情報とを対応付けて記憶するとともに、各仮想テープにつきExport/Cloneに関する情報やユーザによるコメントを併せて記憶することで、運用管理を効率的に行う。【選択図】図１
2007293665.tif 000002
【特許請求の範囲】
【請求項１】
バックアップデータを記憶する複数の磁気テープを有する磁気テープライブラリと、
前記磁気テープライブラリの磁気テープ各々に対応する複数の仮想記憶媒体として動作する仮想テープライブラリと、
前記仮想テープライブラリの仮想記憶媒体を通じて前記磁気テープライブラリにバックアップデータを格納するバックアップサーバとを備えた情報記憶システムにおいて、
前記磁気テープライブラリの各磁気テープの識別情報と前記仮想テープライブラリの仮想記憶媒体の識別情報とを対応付けて格納する対応情報管理データベースを有する管理用コンピュータを備えたことを特徴とする情報記憶システム。
【請求項２】
前記管理用コンピュータは、前記対応情報管理データベースにおいて、各々の磁気テープ及び仮想記憶媒体に対してユーザが入力したコメントを格納する機能を有することを特徴とする請求項１に記載の情報記憶システム。
【請求項３】
前記管理用コンピュータは、前記対応情報管理データベースにおいて、各々の磁気テープ又は仮想記憶媒体に記憶されている情報について、外部装置に出力又はコピーされた出力コピー履歴を格納する機能を有することを特徴とする請求項１又は２に記載の情報記憶システム。
【請求項４】
バックアップデータを記憶する複数の磁気テープを有する磁気テープライブラリと、前記磁気テープライブラリの磁気テープ各々に対応する複数の仮想記憶媒体として動作する仮想テープライブラリと、前記仮想テープライブラリの仮想記憶媒体を通じて前記磁気テープライブラリにバックアップデータを格納するバックアップサーバと、前記磁気テープライブラリの各磁気テープの識別情報と前記仮想テープライブラリの仮想記憶媒体の識別情報とを対応付けて格納する対応情報管理データベースを有する管理用コンピュータとを備えた情報記憶システムにおける情報管理方法であって、
前記管理用コンピュータが、
前記対応情報管理データベースにおいて対応付けられて格納された磁気テープ及び仮想記憶媒体の各々についてユーザからのコメント入力を受け付けるステップと、
入力されたコメントを当該磁気テープ及び仮想記憶媒体の識別情報とともに前記対応情報管理データベースに格納するステップと、
ユーザからの要求に応じて前記対応情報管理データベースから任意の磁気テープ及び仮想記憶媒体に付されたコメントを読み出すステップとを実行することを特徴とする方法。
【請求項５】
バックアップデータを記憶する複数の磁気テープを有する磁気テープライブラリと、前記磁気テープライブラリの磁気テープ各々に対応する複数の仮想記憶媒体として動作する仮想テープライブラリと、前記仮想テープライブラリの仮想記憶媒体を通じて前記磁気テープライブラリにバックアップデータを格納するバックアップサーバと、前記磁気テープライブラリの各磁気テープの識別情報と前記仮想テープライブラリの仮想記憶媒体の識別情報とを対応付けて格納する対応情報管理データベースを有する管理用コンピュータとを備えた情報記憶システムにおける情報管理方法であって、
前記管理用コンピュータが、
前記磁気テープ又は仮想記憶媒体に記憶されている情報について外部装置に出力又はコピーされた出力コピー履歴を前記対応情報管理データベースに格納するステップと、
前記対応情報管理データベースから各々の磁気テープ又は仮想記憶媒体について格納された出力コピー履歴を読み出すステップとを実行することを特徴とする方法。
【発明の詳細な説明】
【技術分野】
【０００１】
本発明は、磁気テープにバックアップデータを記憶し管理するための情報記憶システムに関し、特に、仮想テープライブラリを介して磁気テープにバックアップデータを記憶する情報記憶システムに関するものである。
【背景技術】
【０００２】
日々発生する業務データなどをバックアップするための記憶システムとして、磁気テープを用いた情報記憶システムがある。このような情報記憶システムでは、多数の磁気テープを換装して情報を記録・再生できる磁気テープライブラリ装置が利用されている。また、磁気テープはランダムアクセス不可であり、磁気テープの換装等の操作が必要となるなど、アクセスに時間がかかってしまうため、比較的アクセスが速いハードディスク等に磁気テープライブラリに対応する仮想テープライブラリを構築し、これを経由してバックアップデータを磁気テープライブラリ装置に記憶するシステム構成をとることが多い。例えば、特許文献１には、このような仮想テープ装置を含む記憶システムが開示されている。
また、図４は、従来の仮想テープライブラリを用いた情報記憶システムの構成例を示す図である。この情報記憶システムは、バックアップサーバ100と、仮想テープライブラリ300と、テープライブラリ装置400とを備えており、これらはFiber Channelスイッチ500により互いに接続されている。テープライブラリ装置400は、識別用バーコードを付した複数の磁気テープ402及びこれを記録再生するための１以上のテープドライブ401を有しており、仮想テープライブラリ300は、それぞれ磁気テープ402及びテープドライブ401に対応する仮想テープ302及び仮想テープドライブ301を有している。バックアップサーバ100は、バックアップデータを所定の方式で仮想テープライブラリ300に送信するバックアップソフトウェア101及びバックアップデータを格納するストレージ105を有している。バックアップソフトウェア101は、仮想テープライブラリ300から仮想テープ情報104を取得しており、また、仮想テープライブラリ300経由でテープライブラリ装置400の磁気テープ402のバーコード情報103を取得している。
図４に示す情報記憶システムにおいて、バックアップサーバ100のバックアップソフトウェア101は、ＪＯＢ定義102により定義されたバックアップＪＯＢを実行する。このとき、バックアップデータの保存先となる磁気テープはバーコード情報103により特定するものとする。バックアップサーバ100から送信されたバックアップデータは、仮想テープライブラリ300の前記保存先磁気テープに対応する仮想テープ302に格納され、仮想テープライブラリ300は、バックアップサーバからの処理要求がない時に、バックエンドｐｏｒｔよりバックアップデータをテープライブラリ装置400に送信する。こうして、テープライブラリ装置400の磁気テープ402にバックアップデータが格納される。
【特許文献１】特開２００５−２９３２２４号公報（図３等）
【発明の開示】
【発明が解決しようとする課題】
【０００３】
図４に示す従来の情報記憶システムでは、テープライブラリ装置400の磁気テープ402の取り出し及び装着は、人手により制御パネル404を用いて行われている。この操作は煩雑であるため、人為的ミスが発生したり、制御機構の機械的な故障が発生したりする可能性がある上に、作業時間が長引くことによるデータ処理効率の低下が問題となっている。例えば、複数のバックアップＪＯＢが重なった場合など、バックアップデータとその保存先の磁気テープとの対応をバーコード情報のみで把握する管理方法では、混乱やミスが生じやすくなってしまう。
また、上記した情報記憶システムでは、仮想テープライブラリ300の各仮想テープ302と、テープライブラリ装置400の各磁気テープ402とが一対一に対応する構成としなければならず、これにより機器仕様も運用方針も制限されてしまうため、柔軟なシステム構築を行うことができない。さらには、仮想テープライブラリ300からテープライブラリ装置400へのバックアップデータ送信のタイミングについても、柔軟な運用を行うことができない。
このような実情に鑑みて、本発明は、磁気テープライブラリ及び仮想テープライブラリを用いた情報記憶システムにおいて、磁気テープの効率的な管理運用及び柔軟なシステム構築を実現しようとするものである。
【課題を解決するための手段】
【０００４】
上記解決課題に鑑みて鋭意研究の結果、本発明者は、情報記憶システムとは独立した管理用ＰＣにおいて仮想テープラベルと磁気テープのバーコード情報とを対応付けて記憶するとともに、各仮想テープにつきExport/Cloneに関する情報やユーザによるコメントを併せて記憶することで、運用管理を効率的に行うことができることに想到し、以下のような本発明をなした。
すなわち、本発明は、バックアップデータを記憶する複数の磁気テープを有する磁気テープライブラリと、前記磁気テープライブラリの磁気テープ各々に対応する複数の仮想記憶媒体として動作する仮想テープライブラリと、前記仮想テープライブラリの仮想記憶媒体を通じて前記磁気テープライブラリにバックアップデータを格納するバックアップサーバとを備えた情報記憶システムにおいて、前記磁気テープライブラリの各磁気テープの識別情報と前記仮想テープライブラリの仮想記憶媒体の識別情報とを対応付けて格納する対応情報管理データベースを有する管理用コンピュータを備えたことを特徴とする情報記憶システムを提供するものである。
本発明の情報記憶システムにおいて、前記管理用コンピュータは、前記対応情報管理データベースにおいて、各々の磁気テープ及び仮想記憶媒体に対してユーザが入力したコメントを格納する機能を有することを特徴とする。
本発明の情報記憶システムにおいて、前記管理用コンピュータは、前記対応情報管理データベースにおいて、各々の磁気テープ及び仮想記憶媒体に記憶されている情報について、外部装置に出力又はコピーされた出力コピー履歴を格納する機能を有することを特徴とする。
本発明は、また、バックアップデータを記憶する複数の磁気テープを有する磁気テープライブラリと、前記磁気テープライブラリの磁気テープ各々に対応する複数の仮想記憶媒体として動作する仮想テープライブラリと、前記仮想テープライブラリの仮想記憶媒体を通じて前記磁気テープライブラリにバックアップデータを格納するバックアップサーバと、前記磁気テープライブラリの各磁気テープの識別情報と前記仮想テープライブラリの仮想記憶媒体の識別情報とを対応付けて格納する対応情報管理データベースを有する管理用コンピュータとを備えた情報記憶システムにおける情報管理方法であって、前記管理用コンピュータが、前記対応情報管理データベースにおいて対応付けられて格納された磁気テープ及び仮想記憶媒体の各々についてユーザからのコメント入力を受け付けるステップと、入力されたコメントを当該磁気テープ及び仮想記憶媒体の識別情報とともに前記対応情報管理データベースに格納するステップと、ユーザからの要求に応じて前記対応情報管理データベースから任意の磁気テープ及び仮想記憶媒体に付されたコメントを読み出すステップとを実行することを特徴とする方法を提供するものである。
本発明は、また、バックアップデータを記憶する複数の磁気テープを有する磁気テープライブラリと、前記磁気テープライブラリの磁気テープ各々に対応する複数の仮想記憶媒体として動作する仮想テープライブラリと、前記仮想テープライブラリの仮想記憶媒体を通じて前記磁気テープライブラリにバックアップデータを格納するバックアップサーバと、前記磁気テープライブラリの各磁気テープの識別情報と前記仮想テープライブラリの仮想記憶媒体の識別情報とを対応付けて格納する対応情報管理データベースを有する管理用コンピュータとを備えた情報記憶システムにおける情報管理方法であって、前記管理用コンピュータが、前記磁気テープ又は仮想記憶媒体に記憶されている情報について外部装置に出力又はコピーされた出力コピー履歴を前記対応情報管理データベースに格納するステップと、前記対応情報管理データベースから各々の磁気テープ又は仮想記憶媒体について格納された出力コピー履歴を読み出すステップとを実行することを特徴とする方法を提供するものである。
【発明の効果】
【０００５】
以上、説明したように、本発明の仮想テープライブラリを用いた情報記憶システムでは、複数のバックアップＪＯＢが発生した場合であっても、ユーザは、磁気テープのバーコード情報と仮想テープの仮想テープ情報との対応情報を容易に把握し、各々に付したコメントを閲覧することができるので、磁気テープライブラリを効率的に運用管理することができる。
【発明を実施するための最良の形態】
【０００６】
以下、添付図面を参照しながら、本発明の仮想テープライブラリを用いた情報記憶システムを実施するための最良の形態を詳細に説明する。図１〜図３は、本発明の実施の形態を例示する図であり、これらの図において、同一の符号を付した部分は同一物を表わし、基本的な構成及び動作は同様であるものとする。
図１は、本発明の一実施形態にかかる情報記憶システムの構成を概略的に示す図である。図１において、情報記憶システムは、バックアップサーバ100と、管理用ＰＣ200と、仮想テープライブラリ300と、テープライブラリ装置400とを備えており、これらはFiber Channelスイッチ500により互いに接続されている。
テープライブラリ装置400は、識別用バーコードを付した複数の磁気テープ402及びこれを記録再生するための１以上のテープドライブ401を有しており、仮想テープライブラリ300はハードディスクからなり、磁気テープ402及びテープドライブ401をエミュレートする仮想テープ302及び仮想テープドライブ301を有している。仮想テープ302及び仮想テープドライブ301は、各々の磁気テープ402及びテープドライブ401と対応しているものとする。
バックアップサーバ100は、バックアップデータを所定の方式で仮想テープライブラリ300に送信するバックアップソフトウェア101及びバックアップデータを格納するストレージ105を有している。バックアップソフトウェア101は、仮想テープライブラリ300から仮想テープ情報104を取得しており、また、仮想テープライブラリ300経由でテープライブラリ装置400の磁気テープ402のバーコード情報103を取得している。
管理用ＰＣ200は、テープライブラリ装置400の磁気テープ402のバーコード情報と仮想テープライブラリ300の仮想テープ302の仮想テープ情報との対応情報を記憶する対応情報管理データベース202と、この対応情報を管理する対応情報管理機能201とを有している。
図１に示す情報記憶システムにおいて、バックアップサーバ100のバックアップソフトウェア101は、ＪＯＢ定義102により定義されたバックアップＪＯＢを実行する。このとき、バックアップデータの保存先となる磁気テープはバーコード情報103により特定するものとする。バックアップサーバ100から送信されたバックアップデータは、仮想テープライブラリ300の前記保存先磁気テープに対応する仮想テープ302に格納され、仮想テープライブラリ300は、バックアップサーバからの処理要求がない時に、バックエンドｐｏｒｔよりバックアップデータをテープライブラリ装置400に送信する。こうして、テープライブラリ装置400の磁気テープ402にバックアップデータが格納される。
一方、管理用ＰＣ200は、ユーザ指示により又は所定のタイミングで、仮想テープライブラリ300及びテープライブラリ装置400から、仮想テープ情報及びバーコード情報を取得し、これを対応付けて対応情報管理データベース202に記憶する。ここで、管理用ＰＣ200と仮想テープライブラリ300及びテープライブラリ装置400との通信は、ＴＣＰ／ＩＰで行うものとし、管理用ＰＣ200は、仮想テープ情報及びバーコード情報の取得の他に、仮想テープライブラリ300及びテープライブラリ装置400の動作制御などをすることができるようにしてもよい。
図２は、管理用ＰＣ200のライブラリ管理データベース202に記憶されているデータの具体例を示す図である。図２に示すように、対応情報管理データベース202は、バーコード情報テーブル、仮想テープ情報テーブル及び対応情報管理テーブルを有している。
バーコード情報テーブルは、テープライブラリ装置400の磁気テープ402のバーコード情報として、各磁気テープの格納先スロット番号、付されたバーコードラベル、テープ仕様情報などを格納している。
仮想テープ情報テーブルは、仮想テープライブラリ300の仮想テープ302の仮想テープ情報として、各仮想テープに付された仮想テープラベル、仮想テープ仕様情報などを格納している。
対応情報管理テーブルは、仮想テープラベルとこれに対応する磁気テープのバーコードラベルとを対応付けて格納しており、さらにレコード毎にExport/Clone日時とユーザが任意に書き込むコメントとが格納されている。ここで、Export/Cloneとは、仮想テープ（これに対応する磁気テープ）の記憶内容をそのまま外部の記憶媒体等に出力又はコピーする機能であり、これを行った日時を履歴として記録している。
管理用ＰＣ200の対応情報管理機能201は、ユーザが対応情報管理データベース202に対して操作を行うためのＧＵＩインタフェースを提供する。ＧＵＩインタフェース画面上では、図３に示すように、互いに対応する仮想テープライブラリ300及びテープライブラリ装置400上のドライブ及びスロットに関する情報がツリー階層形式で表示される。このＧＵＩインタフェースを用いて、ユーザは、対応情報管理データベース202の対応情報管理テーブルのコメント欄を記入、更新、削除することができる。これにより、複数のバックアップＪＯＢが発生した場合であっても、ユーザは、磁気テープのバーコード情報と仮想テープの仮想テープ情報との対応情報を容易に把握し、各々に付したコメントを閲覧することができるので、磁気テープライブラリを効率的に運用管理することが可能となる。
また、管理用ＰＣ200の対応情報管理機能201は、ユーザが設定した任意の時刻に、仮想テープライブラリ300の任意の仮想テープ302から対応するテープライブラリ装置400の磁気テープ402にバックアップデータを送信するよう仮想テープライブラリ300を制御することができる。ユーザは、上記のＧＵＩインタフェースにより、このバックアップデータ送信の設定を行うことができるようになっている。
また、管理用ＰＣ200の対応情報管理機能201は、上記した機能以外にも、例えば、ユーザが任意の仮想テープのExport/Cloneを実行できるような機能を提供するものであってもよい。
以上、本発明の仮想テープライブラリを用いた情報記憶システムについて、具体的な実施の形態を示して説明したが、本発明はこれらに限定されるものではない。当業者であれば、本発明の要旨を逸脱しない範囲内において、上記各実施形態にかかる発明の構成及び機能に様々な変更・改良を加えることが可能である。
【図面の簡単な説明】
【０００７】
【図１】本発明の一実施形態にかかる情報記憶システムの構成を概略的に示す図である。
【図２】図１に示す管理用ＰＣの対応情報管理データベースに記憶されているデータの具体例を示す図である。
【図３】仮想テープライブラリ及びテープライブラリ装置上のドライブ及びスロットに関する情報をツリー階層形式で表示する画面例を示す図である。
【図４】従来の仮想テープライブラリを用いた情報記憶システムの構成例を示す図である。
【符号の説明】
【０００８】
100  バックアップサーバ
101  バックアップソフトウェア
102  ＪＯＢ定義
103  バーコード情報
104  仮想テープ情報
105  ストレージ
200  管理ＰＣ
201  対応情報管理機能
202  対応情報管理データベース
300  仮想テープライブラリ
301  仮想テープドライブ
302  仮想テープ
400  テープライブラリ装置
401  テープドライブ
402  磁気テープ
403  バーコード情報
404  制御パネル
500  Fiber Channelスイッチ
【図１】
2007293665.tif 000003
【図２】
2007293665.tif 000004
【図３】
2007293665.tif 000005
【図４】
2007293665.tif 000006